(57)【要約】    【課題】  現像処理装置のメンテナンス作業に伴い、フロートをガイド部材に対して強制的に移動させて、フロートの固着を解消することが出来る現像処理装置を提供する。  【解決手段】  液面の変化に伴いガイド部材に沿って移動するフロートを備えるフロート式液面センサが搭載された現像処理装置において、現像処理装置のメンテナンス作業時に作動する作動部材と前記フロートとの間に、前記作動部材の動作を前記フロートに伝達して、フロートをガイド部材に対して移動させるための動作伝達手段を設けた。  【選択図】  図３
2005201951.tif 000002
【特許請求の範囲】
【請求項１】
液面の変化に伴いガイド部材に沿って移動するフロートを備えるフロート式液面センサが搭載された現像処理装置において、
現像処理装置のメンテナンス作業時に作動する作動部材と前記フロートとの間には、前記作動部材の動作を前記フロートに伝達して、フロートをガイド部材に対して移動させるための動作伝達手段が設けられていることを特徴とする現像処理装置。
【発明の詳細な説明】
【技術分野】
【０００１】
本発明は、槽内に貯留する処理液の液面高さを検出するフロートスイッチが搭載された現像処理装置に関する。
【背景技術】
【０００２】
一般に、現像処理装置の処理槽や補充槽には、槽内に充填される処理液の液面高さを検出するためのフロート式液面センサが設けられている。
【０００３】
このフロート式液面センサは、基本的には棒状に形成されたガイド部材と、このガイド部材に沿って移動可能に設けられたフロートとから構成されている。
【０００４】
ところで、以上のフロート式液面センサは、処理液の液面レベルの上下に応じてガイド部材に沿って上下方向に移動するフロートの位置により液面レベルを検知する構造であることから、処理液に直接触れるフロートやガイド部材などに処理液中の薬品が結晶化して付着すると、この結晶化物によってフロートがガイド部材に固着して、フロートが移動出来なくなり、その結果、液面の高さを適正に検出できなくなるといった問題が生じる。
【０００５】
以上の不具合に対しては、例えばフロートの形状を工夫して、フロートがガイド部材に固着するのを抑制するようにした液面センサーも開発されている（特許文献１参照）が、以上の液面センサにあっても、フロートがガイド部材に固着するのを確実に防止することが出来ず、長期間の使用による結晶の付着により、検出不良を招くものである。
【特許文献１】特開平１１−２３０８１７号
【発明の開示】
【発明が解決しようとする課題】
【０００６】
本発明は以上の実情に鑑みて開発したものであって、目的とするところは、現像処理装置のメンテナンス作業に伴い、フロートをガイド部材に対して強制的に移動させて、フロートの固着を解消することが出来る現像処理装置を提供することにある。
【課題を解決するための手段】
【０００７】
以上の目的を達成するために、請求項１に記載の発明は、液面の変化に伴いガイド部材に沿って移動するフロートを備えるフロート式液面センサが搭載された現像処理装置において、現像処理装置のメンテナンス作業時に作動する作動部材と前記フロートとの間には、前記作動部材の動作を前記フロートに伝達して、フロートをガイド部材に対して移動させるための動作伝達手段が設けられていることを特徴とするものである。
【発明の効果】
【０００８】
請求項１に記載の発明によれば、現像処理装置のメンテナンス作業時、作動部材の作動に伴い、動作伝達手段を介してフロートがガイド部材に対して強制的に移動するので、フロートの固着を確実に解消することが出来る。
【発明を実施するための最良の形態】
【０００９】
図１はフィルムＦを現像処理するための写真現像処理装置を概略的に示したものであって、このフィルム現像処理装置１は、ハウジング１０内に、現像処理室１１と、この現像処理室１１の下流側に隣接する乾燥処理室１２と、現像処理室１１の上流側に隣接するフィルム装填室１３とが設けられている。
【００１０】
フィルム装填室１３には、撮影済みのフィルムＦを装填するフィルム装填部２が搭載され、現像処理室１１には、フィルム装填部２から繰り出されるフィルムＦを現像処理するための現像処理部３が搭載され、更に乾燥処理室１２には、現像処理部３で現像処理されたフィルムＦを乾燥処理するための乾燥処理部４が搭載されている。
またハウジング１の上方には、乾燥処理部４で乾燥したフィルム２を一時的に保存するためのフィルム保存部４０が設けられている。
【００１１】
現像処理部３には、現像，漂白，定着，安定化の処理を順次行なうため、現像液、漂白液、定着液、安定化液の各処理液が個別に充填された７台の処理液槽５と、この処理液槽５内に搭載されてフィルムＦを搬送する搬送ユニット５０とが備えられている。
【００１２】
処理液槽５は、図２に示すように、フィルムＦの現像処理を行う処理タンク５１と、その処理タンク５１における上部の側方に位置して所謂調整槽として機能するサブタンク５２とから構成され、処理タンク５１内の上部とサブタンク５２内の上部とは流通可能となっており、またサブタンク５２の内底部と処理タンク５１の内底部とは循環管路５３で接続され、この循環管路５３の途中には循環ポンプ５４が備えられ、この循環ポンプ５４の駆動により、処理タンク５１とサブタンク５２との間で処理液を循環させるようにしている。
【００１３】
また処理液槽５には、蒸発等で失われた水分をサブタンク５２に補充するための補水装置６と、サブタンク５内に処理液を補充するための処理液補充装置７とが搭載されている。
【００１４】
補水装置６は、補水タンク６１と、サブタンク５２への補水ラインを形成する補水流路６２と、この補水流路６２の途中に介装した補水ポンプ６３及び流量計６４とから構成されている。
【００１５】
処理液補充装置７は、補充タンク７１と、サブタンク５２への補充ラインを形成する補充流路７２と、この補充流路７２の途中に介装した補充ポンプ７３及び流量計７４とから構成されている。
【００１６】
処理液槽５のサブタンク５２には、処理液槽５内の処理液の液面レベルを検出するためのフロート式液面センサ８と、処理液の固形物を除去するためのケミカルフィルター５５が設けられている。
ケミカルフィルター５５は、円筒状を呈し、タンク５２に対して取り外し可能となっている。
【００１７】
また処理液補充装置７の補充タンク７１にも、タンク７１内の処理液の液面レベルを検出するためのフロート式液面センサ８が設けられている。
【００１８】
サブタンク５２及び補充タンク７１に設けられているフロート式液面センサ８は、ロッド状のガイド部材８１と、処理液の液面レベルの上下に応じてガイド部材８１に沿って上下移動するフロート８２と、ガイド部材８１内に設けられて、フロート８２の内周面に埋め込まれた磁石（図示せず）により検知信号を生成する上下一対のリードスイッチ（図示せず）とから構成されている。
【００１９】
上側のリードスイッチは液面レベルの上限を検知するためのものであり、また下側のリードスイッチは液面レベルの下限を検知するためのものであって、これら両リードスイッチはコントローラ１４に接続されている。
【００２０】
以上の構成において、本発明は、現像処理装置１のメンテナンス作業時に作動する作動部材と液面センサ８のフロート８２との間に、前記作動部材の動作を前記フロート８２に伝達して、フロート８２をガイド部材８１に対して移動させるための動作伝達手段９を設け、作動部材の動作に伴い、動作伝達手段９を介してフロート８２をガイド部材８１に対して強制的に移動させるようにしたのである。
【００２１】
即ち、図に示す実施形態では、メンテナンス時にサブタンク５２から取り外されるケミカルフィルター５５、並びにメンテナンス時に開閉される補充タンク７１の蓋体７５を前記した作動部材として利用している。
【００２２】
そしてケミカルフィルター５５とフロート８２との間に設ける動作伝達手段９は、図３、図４にも示すように、サブタンク５２内の上部に軸９１を介して揺動可能に支持したアーム部材９２から構成されているのであって、このアーム部材９２の長さ方向一端部にはサブタンク５２に装着したケミカルフィルター５５の外周面に当接する当接片９３が設けられるとともに、長さ方向他端部にはフロート８２の上面上方まで延びるフロート押込片９４が設けられ、フロート押込片９４側の自重を当接片９３側の自重よりも大きくしている。
【００２３】
斯くして、ケミカルフィルター５５のサブタンク５２からの取り外しに伴い、ケミカルフィルター５５の外周面に対する当接片９３の当接が解除された状態では、自重によりフロート押込片９４側が下降して、このフロート押込片９４により、フロート８２がガイド部材８１に対して下方に強制的に移動させられるのである。
【００２４】
また補充タンク７１の蓋体７５とフロート８２との間に設ける動作手段９は、図７、図８に示すように、フロート８２を下方に向けて押し込むための押込み体９５と、蓋体７５の開放に伴い、押込み体９５を下方に向けて移動させるためのカム体９６と、カム体９６と蓋体７５とを連結するワイヤ９７とから構成され、蓋体７５の開放に伴い、ワイヤ９７及びカム体９６を介して押込み体９５を下方に移動させて、この押込み体９５の下方への移動により、フロート８２をガイド部材８１に対して強制的に下方に移動させるようにしている。
【００２５】
一方、コントローラ１４は、ハウジング１０の上部カバー１０ａがメンテナンス作業に伴って開かれている時には、液面センサ８のフロート８２が強制的に下方に移動させられて、液面センサ８が誤って液面の低下を検出した場合でも、現像処理装置１に搭載するディスプレイ（図示せず）に液面低下のエラー表示が行なわれないようにしている。
【００２６】
即ち、図７のフローチャートに示すように、ステップ１０１で、フロート８２の下方移動による液面低下が検出されたか否かを判別し、液面低下を検出した場合には、ステップ１０２で上部カバー１０ａが閉じられているか否かを判別する。
【００２７】
そして、上部カバー１０ａが閉じられている場合には、ステップ１０３で、現像処理装置１に搭載するディスプレイに「液面低下エラー」の表示が行なわれのに対して、上部カバー１０ａが開かれている場合には、メンテナンス作業中であるので、「液面低下エラー」の表示は行なわないのである。
【００２８】
以上の構造からなる現像処理装置では、ハウジング１０の上部カバー１０ａを開いて、ケミカルフィルター５５の交換や、補充タンク７１内の補充液の点検などのメンテナンス作業を行なうのであって、ケミカルフィルター５５を交換すべく、ケミカルフィルター５５をサブタンク５２から取り外すに伴い、図４に示すように、アーム部材９２のフロート押込片９４側がその自重により下降して、このフロート押込片９４により、フロート８２がガイド部材８１に対して下方に強制的に移動させられるのである。
【００２９】
従って、たとえフロート８２がガイド部材８１に固着していたとしても、その固着が解消されるのである。
【００３０】
また補充タンク７１の補充液の点検などに際して、蓋体７５を開くに伴い、図６に示すように、ワイヤ９７及びカム体９６を介して押込み体９５が下方に移動して、この押込み体９５の下方への移動により、フロート８２がガイド部材８１に対して下方に強制的に移動させられるのである。
【００３１】
従って、たとえフロート８２がガイド部材８１に固着していたとしても、その固着が解消されるのである。
【００３２】
以上の実施形態では、フィルムの現像処理装置に本発明を適用したが、これに限定されるものではなく、例えば印画紙の現像処理装置に適用してもよい。
【００３３】
また以上の実施形態では、動作部材としてケミカルフィルタ５５や蓋体７５を利用したが、これに限定されるものではなく、例えばハウジング１０の上部カバー１０ａを利用してもよい。
【００３４】
また前述のケミカルフィルタ５５をサブタンク５２にロックするためのロック機構を設けて、このロック機構のロックが解除されたときにフロート８２を押し下げるように構成してもよい。
【図面の簡単な説明】
【００３５】
【図１】本発明にかかる現像処理装置の説明図。
【図２】本発明にかかる現像処理装置の要部の説明図。
【図３】液面センサが搭載されたサブタンクの説明図。
【図４】ケミカルフィルターを取り外した状態を示すサブタンクの説明図。
【図５】液面センサが搭載された補充タンクの説明図。
【図６】蓋体を開いた状態を示す補充タンクの説明図。
【図７】現像処理装置の作動状況を示すフローチャート。
【符号の説明】
【００３６】
１      現像処理装置
５５    ケミカルフィルタ（作動部材）
７５    蓋体（作動部材）
８      液面センサ
８１    ガイド部材
８２    フロート
９      動作伝達手段
【図１】
2005201951.tif 000003
【図２】
2005201951.tif 000004
【図３】
2005201951.tif 000005
【図４】
2005201951.tif 000006
【図５】
2005201951.tif 000007
【図６】
2005201951.tif 000008
【図７】
2005201951.tif 000009